(57)【要約】【課題】可動刃と固定刃の最接近時の間隙寸法を、電線の太さに応じた適切な寸法となるように段階的に調節することができる電線の被覆剥離工具を提供する。【解決手段】本体から下方に延びる下顎４の上面に固定刃５を固定し、本体の中央部にハンドルの先端を第１ピンにより軸支し、第１ピンにヘッド９を軸支し、第１ピンに可動刃１８を備えた刃物台１０と、剥離刃を備えたスライド受けとを、スライド自在に支持させ、ハンドルの第３ピンに軸支されたリンクの先端を、刃物台１０とスライド受けとの後方部分に、第２ピンにより連結して揺動可能とした構造の電線の被覆剥離工具である。ヘッド９から下方に延びる接触部３０を形成し、接触部３０と当接する段部３２を異なる高さで複数形成した調節ダイヤル３１を下顎４に設けることにより、刃物台１０に固定された可動刃１８と、下顎４に固定された固定刃５との最接近時の間隙寸法を、段階的に調節可能とした。【選択図】図１０
2016093077.tif 000002
【特許請求の範囲】
【請求項１】
握り手を備えた本体から下方に延びる下顎の上面に固定刃を固定し、
該本体の中央部にハンドルの先端を第１ピンにより軸支し、
該第１ピンに、ヘッドを軸支し、
さらに該第１ピンに、可動刃を備えた刃物台と、剥離刃を備えたスライド受けとを、長孔によりスライド自在に支持させるとともに、
前記ハンドルの第３ピンに軸支されたリンクの先端を、前記刃物台と前記スライド受けとの後方部分に、第２ピンにより連結して揺動可能とした構造を有し、
ハンドル操作によって被覆の切断動作とその剥離動作とを連続的に行う電線の被覆剥離工具であって、
前記ヘッドから下方に延びる接触部を形成し、
該接触部と当接する段部を異なる高さで複数形成した調節ダイヤルを、前記下顎に設けることにより、前記ヘッドと連動する前記刃物台に固定された前記可動刃と、前記下顎に固定された前記固定刃との最接近時の間隙寸法を、段階的に調節可能としたことを特徴とする電線の被覆剥離工具。
【請求項２】
前記ハンドルを閉状態に保持するための係止部を、前記ハンドルと前記握り手との間に設けたことを特徴とする請求項１記載の電線の被覆剥離工具。
【発明の詳細な説明】
【技術分野】
【０００１】
本発明は、配線工事等の際に、電線の被覆を剥離するために用いられる手動式の工具に関するものである。
【背景技術】
【０００２】
電線の被覆剥離工具としては、図１に示される工具が従来から広く用いられている。その構造は、本体５１から下方に延びる下顎５２の上面に固定刃５３を固定し、本体５１の中央部にハンドル５５の先端を第１ピン５４により軸支し、この第１ピン５４に、ヘッド５６を軸支し、さらに第１ピン５４に、可動刃５７を備えた刃物台５８と、剥離刃５９を備えたスライド受け６０とを、長孔６１によりスライド自在に支持させるとともに、ハンドル５５の第３ピン６２に軸支されたリンク６３の先端を、刃物台５８とスライド受け６０との後方部分に、第２ピン６４により連結して揺動可能としたものである。そしてこの電線の被覆剥離工具は、ハンドル５５の操作によって、被覆の切断動作とその剥離動作とを連続的に行うことができるものである。
【０００３】
使用時には、電線を下側の固定刃５３の上にセットしたうえ、ハンドル５５を閉じていくと、刃物台５８の可動刃５７が固定刃５３に向かって下方に移動し、被覆に食いこんで切断する。この状態からさらにハンドル５５を閉じると、剥離刃５９を備えたスライド受け６０が可動刃５７を備えた刃物台５８とともに後方へ移動し、切断された被覆を剥離する。このように電線の被覆剥離工具は、単にハンドル５５を閉じる動作だけで、被覆の切断と剥離とを連続的に行うことができる。
【０００４】
しかしながら、固定刃と可動刃の最接近時の間隙寸法は一定であるため、電線の出来合いが太い場合には、可動刃と固定刃が被覆に食い込みすぎてしまい、心線が傷ついてしまう問題があった。また反対に、電線の出来合いが細い場合には、可動刃と固定刃が被覆に充分食いこまず、被覆の剥離残しが発生してしまう問題があった。
【０００５】
この問題を解決するために、特許文献１に示すように、第１ピンで軸支されたヘッドの先端に下方に延びる接触部を形成し、下顎にこの接触部と当接する調節ねじを設けた被覆剥離工具が開発されている。ハンドルを閉じたときのヘッドの下降位置がこの調節ねじにより規制されるため、調節ねじを出没させることによって、ヘッドの動きと連動している可動刃と、下顎に固定されている固定刃との最接近時の間隙寸法を調節することができる。しかしながら、無段階調節のため使用者は目分量で調節ねじを回転させて微調節を行う必要があり、特に非熟練者においてはその調整作業が困難であり、被覆への適切な食い込み量とならないことがある。これにより、依然として心線が傷ついてしまったり、また食い込みが不十分であるために、被覆の剥離残しが発生してしまう問題があった。
【先行技術文献】
【特許文献】
【０００６】
【特許文献１】実用新案登録第３１６０１６３号公報
【発明の概要】
【発明が解決しようとする課題】
【０００７】
本発明の目的は前記した従来の問題点を解決し、可動刃と固定刃の最接近時の間隙寸法を、電線の太さに応じた適切な寸法となるように段階的に調節することができる電線の被覆剥離工具を提供することである。
【課題を解決するための手段】
【０００８】
上記課題を解決するためになされた本発明は、握り手を備えた本体から下方に延びる下顎の上面に固定刃を固定し、該本体の中央部にハンドルの先端を第１ピンにより軸支し、該第１ピンに、ヘッドを軸支し、さらに該第１ピンに、可動刃を備えた刃物台と、剥離刃を備えたスライド受けとを、長孔によりスライド自在に支持させるとともに、前記ハンドルの第３ピンに軸支されたリンクの先端を、前記刃物台と前記スライド受けとの後方部分に、第２ピンにより連結して揺動可能とした構造を有し、ハンドル操作によって被覆の切断動作とその剥離動作とを連続的に行う電線の被覆剥離工具であって、前記ヘッドから下方に延びる接触部を形成し、該接触部と当接する段部を異なる高さで複数形成した調節ダイヤルを、前記下顎に設けることにより、前記ヘッドと連動する前記刃物台に固定された前記可動刃と、前記下顎に固定された前記固定刃との最接近時の間隙寸法を、段階的に調節可能としたことを特徴とするものである。
【０００９】
請求項２記載の発明は、請求項１記載の電線の被覆剥離工具において、前記ハンドルを閉状態に保持するための係止部を、前記ハンドルと前記握り手との間に設けたことを特徴とするものである。
【発明の効果】
【００１０】
本発明に係る電線の被覆剥離工具は、ヘッドから下方に延びる接触部を形成し、この接触部と当接する段部を異なる高さで複数形成した調節ダイヤルを、下顎に設けることにより、ヘッドと連動する刃物台に固定された可動刃と、下顎に固定された前記固定刃との最接近時の間隙寸法を、段階的に調節可能とした。これにより、従来のように使用者が目分量で微調節を行う必要がなくなり、非熟練者であっても可動刃と固定刃の被覆への食い込み量を容易に、かつ適切となるよう段階的に調節が可能となる。
【００１１】
また、請求項２に係る発明のように、ハンドルを閉状態に保持するための係止部を、ハンドルと握り手との間に設けるものとすれば、ハンドルの不用意な開閉を防止することができる。
【図面の簡単な説明】
【００１２】
【図１】従来の電線の被覆剥離工具の正面図である。
【図２】本実施形態の電線の被覆剥離工具のハンドルを開いた状態の正面図である。
【図３】本実施形態の電線の被覆剥離工具のハンドルを閉じた状態の正面図である。
【図４】図３の上面図である。
【図５】固定刃の側面図である。
【図６】ヘッドの説明図である。
【図７】刃物台の説明図である。
【図８】可動刃の説明図である。
【図９】スライド受けの説明図である。
【図１０】接触部と調節ダイヤルとの当接状態を示す側面図である。
【図１１】調節ダイヤルの断面図である。
【発明を実施するための形態】
【００１３】
以下に本発明の好ましい実施形態を示す。
図２及び図３は、本発明の電線の被覆剥離工具の正面図であり、図４はその上面図である。これらの図において、１は本体、２はハンドルである。本体１の基部は、滑り止め用の凹凸が形成された握り手３となっている。また本体１の先端側は、斜め下方に屈曲され、下顎４が形成されている。下顎４の先端部には、固定刃５が固定されている。固定刃５は、図５に示すように幅広の外側被覆切断部６と、３つの内側被覆切断部７とを備えている。
【００１４】
本体１の中央部には、ハンドル２の先端部が第１ピン８により軸支されている。そして使用者は本体１の握り手３とハンドル２との間に手を掛けてハンドル操作を行う。
【００１５】
この第１ピン８には、ヘッド９、刃物台１０、スライド受け１１の３つの部材が支持されている。ヘッド９は図６に示すように中央部に第１ピン８の貫通孔１２を備え、先端側は略直角に屈曲されて剥離時の電線押さえ部１３となっている。また、後部には前後方向に延びる長孔１４が形成されている。ヘッド９は第１ピン８を中心として揺動可能であるが、スライド運動は行わない。
【００１６】
刃物台１０は、図７に示すように中央部に第１ピン８が挿通される長孔１５を備え、先端側は略直角に屈曲されて可動刃取付部１６となっている。また、後端には貫通孔１７が形成されている。可動刃取付部１６に取付けられる可動刃１８は、図８のように幅広の外側被覆切断部１９と、３つの内側被覆切断部２０とを備えており、前記した固定刃５との間で被覆の切断を行う。
【００１７】
スライド受け１１は図９に示すように、中央部に第１ピン８が挿通される長孔２１を備え、先端側は略直角に屈曲されて剥離刃２２が形成されている。また後端には略上下方向に延びる溝カム２３が形成されている。
【００１８】
図２、図３に示すように、ハンドル２の略中央部には第３ピン２４が設けられており、リンク２５の下端を軸支している。このリンク２５の先端には第２ピン２６が設けられており、この第２ピン２６は上記したヘッド９の長孔１４、刃物台１０の貫通孔１７、スライド受け１１の溝カム２３を貫通している。なおリンク２５は、図示を略したバネによって常に反時計方向に弾発され、第２ピン２６を前方に付勢している。
【００１９】
図６に示すように、ヘッド９の先端部には、下方に延びる接触部３０が形成されている。さらに、図１０のように、下顎４には、この接触部３０と当接する段部３２が形成された調節ダイヤル３１が設けられている。段部３２は、調節ダイヤル３１の上面に異なる高さで複数形成されており、本実施形態においては、５段階の均等な段差を持って形成されるものとした。図１１に示すように、調節ダイヤル３１は環状に形成されており、その中心に設けられた調節ピン３３により下顎４に固定されることで、回転自在となっている。調節ダイヤル３１の下面には段部３２に対応した複数の凹部３４が環状に配置されるよう形成されており、さらにこの凹部３４に嵌合する金属製のボール３５が、スプリング３６により上方に付勢されている。
【００２０】
以上のような構成により、調節ダイヤル３１を回転させることにより、接触部３０と当接する段部３２の高さを段階的に変化させることができる。したがって、調節ダイヤル３１を回転させることにより、ヘッド９と連動する刃物台１０に固定された可動刃１８と、下顎に固定された固定刃５との最接近時の間隙寸法を段階的に調節することができ、電線の被覆への食い込み量が調節される。これにより、従来のように使用者が目分量で微調節を行う必要がなくなり、非熟練者であっても可動刃１８と固定刃５の被覆への食い込み量を容易に、かつ適切となるよう段階的に調節が可能となる。なお、調節ダイヤル３１の回転位置はボールスプリング機構により、規制される。
【００２１】
ハンドル２と握り手３との間には、ハンドル２を閉状態に保持するための係止部を設けるものとした。この係止部は、握り手３の内側に収納自在に設けられたフック４０と、ハンドル２の内側に設けられた図示しない係止棒とからなるものであり、フック４０をこの係止棒に係止することで、ハンドル２が閉状態に保持される。これにより、未使用時におけるハンドル２の不用意な開閉を防止することができるものとした。
【００２２】
次に、このように構成された本発明の電線の剥離工具の使用方法を説明する。
まず、電線の太さに応じて調節ダイヤル３１を回転させて、接触部３０と当接する段部３２の高さを変更し、可動刃１８と固定刃５の被覆への食い込み量が適切なものなるようセットしておく。そして、図２に示すようにハンドル２を開いた状態とし、固定刃５の上に電線をセットする。この状態からハンドル２を閉じていくと、第３ピン２４によりリンク２５が押し上げられ、ヘッド９と刃物台１０が第１ピン８を中心として図面上の反時計方向に回動し、その先端が下降する。ヘッド９の電線押さえ部１３が電線を押さえ、刃物台１０に取付けられた可動刃１８が下降して被覆に切り込む。
【００２３】
ハンドル２を閉じて行き、ヘッド９の接触部３０が下顎４に設けた調節ダイヤル３１の段部３２と当接して可動刃１８がそれ以上下降できない状態となると、第２ピン２６は溝カム２３の上端に達していなくとも、リンク２５はそれ以上上昇することができないため、リンク２５の先端の第２ピン２６はヘッド９の長孔１４に沿って後方にスライドする。このため刃物台１０とスライド受け１１とは後方にスライドする。この状態においては、固定刃５は被覆を切断した位置に留まるため、スライド受け１１の剥離刃２２と刃物台１０の可動刃１８とによって被覆は上下から保持され、後方に剥離される。なお、スライド受け１１は下顎４の上面に沿ってスライドするものである。
【００２４】
一般に被覆電線の被覆は、２芯または３芯にまたがる外側の被覆と、心線の回りの内側の被覆とから構成されているため、上記の被覆剥離動作は外側被覆切断部６、１９と内側被覆切断部７、２０とで位置を変えて、被覆剥離を二度行うこととなる。しかし本発明の電線の被覆剥離工具はこれに限定されるものではなく、単芯の電線の被覆の剥離にも用いることができることは言うまでもない。
【符号の説明】
【００２５】
１  本体
２  ハンドル
３  握り手
４  下顎
５  固定刃
６  外側被覆切断部
７  内側被覆切断部
８  第１ピン
９  ヘッド
１０  刃物台
１１  スライド受け
１２  貫通孔
１３  電線押さえ部
１４  長孔
１５  長孔
１６  可動刃取付部
１７  貫通孔
１８  可動刃
１９  外側被覆切断部
２０  内側被覆切断部
２１  長孔
２２  剥離刃
２３  溝カム
２４  第３ピン
２５  リンク
２６  第２ピン
３０  接触部
３１  調節ダイヤル
３２  段部
３３  調節ピン
３４  凹部
３５  ボール
３６  スプリング
４０  フック
５１  本体
５２  下顎
５３  固定刃
５４  第１ピン
５５  ハンドル
５６  ヘッド
５７  可動刃
５８  刃物台
５９  剥離刃
６０  スライド受け
６１  長孔
６２  第３ピン
６３  リンク
６４  第２ピン
【図１】
2016093077.tif 000003
【図２】
2016093077.tif 000004
【図３】
2016093077.tif 000005
【図４】
2016093077.tif 000006
【図５】
2016093077.tif 000007
【図６】
2016093077.tif 000008
【図７】
2016093077.tif 000009
【図８】
2016093077.tif 000010
【図９】
2016093077.tif 000011
【図１０】
2016093077.tif 000012
【図１１】
2016093077.tif 000013